(57)【要約】      （修正有）【課題】眼鏡自体のファッション性を損なうことがなく、且つ、他の眼鏡用装飾具との外観上の識別性にも優れた眼鏡用装飾具を提供する。【解決手段】眼鏡１１の耳掛け部１２に穿設された孔部１３より垂下される眼鏡用装飾具１０であって、前記孔部１３に係止される係止部２０と、前記係止部２０の下方に連結部２１ａ、２１ｂ、２１ｄ、２１ｅ、２１ｆを介して配設される複数の装飾体部２２ａ，２２ｂとを備え、前記装飾体部２２ａ，２２ｂは互いに色彩が異なる。【選択図】図１
0003202287.tif 000002
【実用新案登録請求の範囲】
【請求項１】
眼鏡の耳掛け部に穿設された孔部より垂下される眼鏡用装飾具であって、前記孔部に係止される係止部と、前記係止部の下方に連結部を介して配設される複数の装飾体部とを備え、前記装飾体部は互いに色彩が異なることを特徴とする眼鏡用装飾具。
【請求項２】
前記複数の装飾体部は、前記連結部を介して互いに上下方向に離間して配設されており、前記係止部は、線状材料を全体略Ｃ字状に形成することにより間隙を介して隣接する一対の端部を備えており、前記一対の端部の間隔寸法は、前記孔部と前記耳掛け部外縁との間隔寸法のうち最も小さい部位の間隔寸法よりも小さい間隔寸法に形成されていることを特徴とする請求項１記載の眼鏡用装飾具。
【請求項３】
前記係止部及び前記装飾体部は、前記連結部により１本の鎖状に連結されていることを特徴とする請求項２記載の眼鏡用装飾具。
【請求項４】
前記装飾体部は、全体略球形に形成されていることを特徴とする請求項３記載の眼鏡用装飾具。
【請求項５】
前記装飾体部は、互いに大きさが異なることを特徴とする請求項４記載の眼鏡用装飾具。
【考案の詳細な説明】
【技術分野】
【０００１】
本考案は、眼鏡の耳掛け部に係止される装飾具に関する。
【背景技術】
【０００２】
従来より、眼鏡は、視力矯正具として多くの人々に普及している。近年では、視力矯正具としての利用方法に限らず、自己表現の道具の１つとしても利用されており、利用範囲は益々の広がりをみせている。
【０００３】
一般に、眼鏡はフロント部とテンプル部とモダン部から構成され、各部が機能を果たすための基本的形状があるため、外観が限られてしまい個性を出しにくいという事情があった。
【０００４】
この場合、利用者が眼鏡を外して一時的にテーブルに置いた際には、例えば、他人の眼鏡が同じテーブルに置かれていると、利用者がテーブルから眼鏡を取る際に、自身の眼鏡が何れであるかを即座に識別できないという事態が発生していた。
【０００５】
そこで、眼鏡本来のファッション性を損なわずに、自身の眼鏡を、他人の眼鏡と即座に識別することができる装飾具が求められていた。本考案者は、このような観点から特許調査を実施して特許文献１を発見した。
【０００６】
特許文献１の眼鏡システムは、眼鏡の耳掛け部より垂下される吊り下げ部材と複数のビーズより構成される平衡錘とが開示されている。このような眼鏡の耳掛け部より垂下される装飾具は、眼鏡本来のファッション性を損なうことなく装飾具によって他人の眼鏡との識別ができる。
【０００７】
しかしながら、特許文献１の眼鏡システムは、使用者の顔面部分への下方重力の低減や眼鏡の滑り外れ防止に主眼があり、複数のビーズは吊り下げ部材の下端部に一纏めに配されていると共に、各ビーズの色彩についての記載はなく、例えば、同じような吊り下げ部材とビーズから構成される装飾具を備えた眼鏡が付近に置かれた場合には、即座に識別できなくなる恐れがあった。そこで、より外観上の識別性に富んだ眼鏡用装飾具が望まれていた。
【特許文献１】公開特許第２００９−４２７５６号公報
【考案の開示】
【考案が解決しようとする課題】
【０００８】
そこで、本考案は、このような従来の要請に基づくものであって、眼鏡自体のファッション性を損なうことがなく、且つ、他の眼鏡用装飾具との外観上の識別性にも優れた眼鏡用装飾具を提供することを課題とする。
【課題を解決するための手段】
【０００９】
前記課題を解決するために、請求項１に記載の眼鏡用装飾具にあっては、眼鏡の耳掛け部に穿設された孔部より垂下される眼鏡用装飾具であって、前記孔部に係止される係止部と、前記係止部の下方に連結部を介して配設される複数の装飾体部とを備え、前記装飾体部は互いに色彩が異なることを特徴とする。
【００１０】
従って、請求項１に記載の眼鏡用装飾具は、複数の装飾体部は互いに色彩が異なるように構成されていることから、装飾体部の色彩の組み合わせにより、色彩の異なる多種類の眼鏡用装飾具を製作することができる。
【００１１】
請求項２に記載の眼鏡用装飾具にあっては、前記複数の装飾体部は、前記連結部を介して互いに上下方向に離間して配設されており、前記係止部は、線状材料を全体略Ｃ字状に形成することにより間隙を介して隣接する一対の端部を備えており、前記一対の端部の間隔寸法は、前記孔部と前記耳掛け部外縁との間隔寸法のうち最も小さい部位の間隔寸法よりも小さい間隔寸法に形成されていることを特徴とする。
【００１２】
従って、請求項２に記載の眼鏡用装飾具は、複数の装飾体部は、連結部を介して互いに上下方向に離間して配設されていることから、一纏めに取付けられている場合と比べて、異なる色彩を備えた複数の装飾体部は、互いに離間した位置関係に点在配設されることとなり識別しやすい。
【００１３】
また、係止部は全体略Ｃ字状に形成され、間隙を介して隣接する一対の端部を備えており、一対の端部の間隔寸法は、孔部と耳掛け部外縁との間隔寸法のうち最も小さい部位の間隔寸法よりも小さい間隔寸法に形成されていることから、係止部の変形を伴わずに一対の端部の間隙を、耳掛け部が通過することがないため、眼鏡用装飾具は、一旦孔部に取付ければ簡単に外れることはない。
【００１４】
請求項３に記載の眼鏡用装飾具にあっては、前記係止部及び前記装飾体部は、前記連結部により１本の鎖状に連結されていることを特徴とする。
【００１５】
請求項４に記載の眼鏡用装飾具にあっては、前記装飾体部は、全体略球形に形成されていることを特徴とする。
【００１６】
請求項５に記載の眼鏡用装飾具にあっては、前記装飾体部は、互いに大きさが異なることを特徴とする。従って、大きさの異なる多種類の眼鏡用装飾具を製作することができる。
【考案の効果】
【００１７】
請求項１、３及び４に記載の眼鏡用装飾具は、眼鏡の耳掛け部に穿設された孔部より垂下されることから、眼鏡自体のファッション性を損なうことがない。
【００１８】
また、装飾体部の色彩の組み合わせにより、色彩の異なる多種類の眼鏡用装飾具を製作することができることから、他の眼鏡用装飾具との外観上の識別性に優れ、他の眼鏡用装飾具を備えた眼鏡と同じテーブルに載置された場合であっても、利用者は、自身の眼鏡用装飾具を即座に識別することができ、自身の眼鏡がどちらであるか迷うことがない。
【００１９】
請求項２に記載の眼鏡用装飾具は、異なる色彩を備えた複数の装飾体部は、互いに離間した位置関係に点在配設されることとなり識別しやすいため、利用者は、他の眼鏡用装飾具を備えた眼鏡との識別がより容易となる。
【００２０】
また、係止部変形を伴わずに一対の端部の間隙を、耳掛け部が通過することがなく、眼鏡用装飾具は、一旦孔部に取付ければ簡単に外れることはないため、眼鏡用装飾具は、眼鏡の使用中に不意に外れてしまうことがない。
【００２１】
請求項５に記載の眼鏡用装飾具は、色彩のみならず大きさの異なる多種類の眼鏡用装飾具を製作することができることから、他の眼鏡用装飾具との外観上の識別性がより向上し、他の眼鏡用装飾具を備えた眼鏡と同じテーブルに載置された場合であっても、利用者は、自身の眼鏡用装飾具を即座に識別することができ、自身の眼鏡がどちらであるか迷うことがない。
【図面の簡単な説明】
【００２２】
【図１】図１は、本考案に係る眼鏡用装飾具の一実施の形態を示した斜視図である。
【図２】図２は、本考案に係る眼鏡用装飾具の一実施の形態を示し、耳掛け部の拡大側面図である。
【図３】図３は、本考案に係る眼鏡用装飾具の一実施の形態を示した拡大側面図である。
【考案を実施するための最良の形態】
【００２３】
以下、本考案に係る眼鏡用装飾具を実施の形態に基づき、図面を参照して詳細に説明する。
【００２４】
図１に示すように、本実施の形態に係る眼鏡用装飾具１０は、眼鏡１１の耳掛け部１２，１２に穿設された孔部１３，１３より垂下される。
【００２５】
図１に示すように、眼鏡１１は、並列して配される一対のレンズ部１４，１４と、レンズ部１４，１４を互いに繋いで固定する略棒状のブリッジ部１５と、一対のレンズ部１４，１４の外側端部においてレンズ１４に対して垂直に延設された略棒状のテンプル部１６，１６を備えており、テンプル部１６，１６のレンズ部１４とは反対に位置する端部には、耳掛け部１２，１２が備えられている。
【００２６】
ブリッジ部１５は両端部がレンズ厚さ方向に貫通して留め具により固定されている。また、レンズ部１４，１４のブリッジ部１５近傍には、パッド部１７，１７が夫々固定されている。
【００２７】
耳掛け部１２，１２は、合成樹脂により略へ字状に形成され、テンプル部１６，１６のレンズ部とは反対に位置する端部に装着されている。本実施の形態においては、孔部１３，１３は耳掛け部１２の先端部において円形に耳掛け部１２を側面方向に貫通するように穿設されている。
【００２８】
図１に示すように、眼鏡用装飾具１０は、孔部１３，１３に係止される係止部２０と、係止部２０の下方に連結部２１を介して配設される２つの装飾体部２２ａ，２２ｂとを備えている。
【００２９】
本実施の形態においては、係止部２０及び装飾体部２２は、連結部２１により１本の鎖状に連結されており全体揺動可能に形成されている。２つの装飾体部２２ａ，２２ｂは、連結部２１を介して連結され、互いに上下方向に離間して配設されている。
【００３０】
２つの装飾体部２２ａ，２２ｂは、全体略球形に形成されており、互いに大きさと色彩が異なる。本実施の形態においては、装飾体部２２は球形のビーズであり、上部側の装飾体部２２ａは、下部側の装飾体部２２ｂよりも小さい径のビーズにより構成されている。また、本実施の形態においては、上部側の装飾体部２２ａは白色のビーズを、下部側の装飾体部２２ｂは真珠色のビーズを夫々備えている。
【００３１】
図２に示すように、係止部２０は、金属製の線状材料を全体略Ｃ字状に形成することにより間隙を介して隣接する一対の端部２３，２３を備えており、一対の端部２３，２３の間隔寸法Ｌ１は、孔部１３と耳掛け部１２外縁との間隔寸法のうち最も小さい部位の間隔寸法Ｌ２よりも小さい間隔寸法に形成されている。本実施の形態においては、孔部１３と耳掛け部１２外縁との間隔寸法のうち最も小さい部位の間隔寸法Ｌ２は、耳掛け部１２下端側外縁との間隔寸法である。
【００３２】
図３に示すように、上部側の装飾体部２２ａは、両端部に連結部２１ｂ，２１ｂを一体に備えており、連結部２１ｂは、金属製で装飾体部２２ａ表層に配される台座部２４と、台座部２４より装飾体部２２ａから離間する方向に延設される連結部材２５を備えている。連結部材２５は、線材により形成され、側面視略Ｃ字状に形成されている。
【００３３】
下部側の装飾体部２２ｂは、両端部に連結部２１ｄ，２１ｄを備えている。連結部２１ｄは、線材により側面視略Ｃ字状に形成されている。
【００３４】
本実施の形態においては、係止部２０と上部側の装飾体部２２ａは、環状に形成された連結部２１ａ及び装飾体部２２ａと一体に形成された一方の連結部２１ｂとを介して連結されている。
【００３５】
また、他方の連結部２１ｂは、環状に形成された連結部２１ｃを介して下部側の装飾体部２２ｂの一方の連結部２１ｄに連結されている。
【００３６】
図３に示すように、他方の連結部２１ｄは、環状に形成された連結部２１ｅを介して、菱形状に形成された第二装飾体部２６の一端部に連結され、第二装飾体部２６の他端部は、環状に形成された連結部２１ｆを介して、金属製でリング状の第三装飾体部２７に連結されている。
【００３７】
以下、本実施の形態に係る眼鏡用装飾具１０の作用について、図面を参照して詳細に説明する。
【００３８】
本実施の形態に係る眼鏡用装飾具１０は、以上のように構成されていることから、図２に示すように、まず、眼鏡１１の耳掛け部１２に孔部１３を形成する。係止部２０を孔部１３に係止する際には、係止部２０をペンチ等でつまんで一対の端部２３，２３を押し広げて拡開して孔部１３に係止部２０を連結する。
【００３９】
係止部２０は金属製の線材から形成されていることから、一対の端部２３，２３は、ペンチ等による拡開方向の力がなくなると再び間隔寸法Ｌ１に戻る。このとき、図２に示すように、一対の端部２３，２３の間隔寸法Ｌ１は、孔部１３と耳掛け部１２外縁との間隔寸法のうち最も小さい部位の間隔寸法Ｌ２よりも小さい間隔寸法に形成されていることから、眼鏡用装飾具１０の係止部２０は、一旦、孔部１３に取付けた際には、例えば、眼鏡１１を装着して移動や動作をした場合であっても簡単に外れることはない。
【００４０】
以上のように眼鏡用装飾具１０を、左右一対の孔部１３，１３に係止することにより、他人の眼鏡との識別性を備えることができる。また、本実施の形態に係る眼鏡用装飾具１０は、上部側の装飾体部２２ａは白色、下部側の装飾体部２２ｂは真珠色のビーズが用いられており、テーブル上において他の眼鏡の耳掛け部より垂下される眼鏡用装飾具を備えた眼鏡が隣接して載置された場合であっても、利用者は、白色と真珠色のビーズで構成された眼鏡用装飾具１０が自身の物であることを覚えておくことにより、装飾体部２２の色彩の違いを認識して、識別することができる。
【００４１】
その際、異なる色彩を備えた２つの装飾体部２２ａ，２２ｂは、連結部２１ｂ，２１ｃ，２１ｄとを介して連結され、互いに離間した位置関係に点在配設されるため白色や真珠色といった装飾体部２２a，２２bの色彩あるいは大きさといった情報を視認しやすくなるため、利用者が眼鏡用装飾具１０を視認してから識別判断するまでの時間を短縮することができる。
【００４２】
２つの装飾体部２２ａ，２２ｂの色彩や大きさ又は形状の組み合わせにより、異なる多種類の眼鏡用装飾具を製作することができるため、例えば、テーブル上に外見上同一で区別のつかない眼鏡用装飾具が２つ並べて載置される可能性を低減することができ、他の眼鏡用装飾具との識別性を確保することができる。
【００４３】
また、本実施の形態においては第二装飾体部２６及び第三装飾体部２７を備えており、様々な形状のアクセサリパーツを用いることにより、さらに多種類の眼鏡用装飾具を製作することもできる。
【００４４】
前記実施の形態においては、装飾体部は全体略球形のビーズである例を説明したが、これに限定されることはなく、ラグビーボール形状やハート型であっても良く、様々な形状のものを用いることによって、より識別力を向上させることができる。
【００４５】
前記実施の形態においては、装飾体部は白色と真珠色である例を説明したが、これに限定されることはなく、黒真珠色であっても良く、半透明の色彩を有する石であっても良い。様々な色彩のものを用いることによって、より識別力を向上させることができる。
【産業上の利用可能性】
【００４６】
本考案に係る眼鏡用装飾具は、眼鏡用のアクセサリ及び識別具として広く利用することができることから産業上利用可能性を有している。
【符号の説明】
【００４７】
１０    眼鏡用装飾具
１１    眼鏡
１２    耳掛け部
１３    孔部
１４    レンズ部
１５    ブリッジ部
１６    テンプル部
１７    パッド部
１８    留め具
２０    係止部
２１    連結部
２２    装飾体部
２３    端部
２４    台座部
２５    連結部材
２６    第二装飾体部
２７    第三装飾体部
【図１】
0003202287.tif 000003
【図２】
0003202287.tif 000004
【図３】
0003202287.tif 000005